(57)【要約】  【課題】  熱膨張による光学シートの伸び量が大きい大型サイズのバックライト装置においても、光学シートのしわの発生を確実に防止する。  【解決手段】  光源である蛍光管２の前方に拡散板３を配置し拡散板３の前面に複数の光学シート４を配置したバックライト装置において、光学シート４の縁部分につづら折形状または波状の緩衝部６を形成し、緩衝部６の外端部を外方向に張力を付与した状態で固定金具７により筐体１に取り付ける。蛍光管２が点灯されて光学シート４の温度が上昇して膨張すると、その膨張分が緩衝部６に吸収されて、光学シート４にしわが発生することがなくなる。【選択図】  図１
2005276718.tif 000002
【特許請求の範囲】
【請求項１】
光源の前方に拡散板を配置し該拡散板の前面に複数の光学シートを配置したバックライト装置において、
前記光学シートの縁部分に該光学シートの伸縮力を吸収する緩衝部を設け、該緩衝部の外端部を外方向に張力を付与して支持したことを特徴とするバックライト装置。
【請求項２】
請求項１に記載のバックライト装置において、
前記拡散板および光学シートが矩形をしている場合に、前記光学シートの相対する短辺または長辺いずれかの一方の辺の縁部分に該光学シートの伸縮力を吸収する緩衝部を設け、前記相対する両方の辺の前記緩衝部の外端部を外方向に張力を付与して支持したことを特徴とするバックライト装置。
【請求項３】
請求項１に記載のバックライト装置において、
前記拡散板および光学シートが矩形をしている場合に、前記光学シートの相対する短辺および長辺のそれぞれの一方の辺の縁部分に該光学シートの伸縮力を吸収する緩衝部を設け、それぞれの該緩衝部の外端部を外方向に張力を付与して支持したことを特徴とするバックライト装置。
【請求項４】
請求項１に記載のバックライト装置において、
前記拡散板および光学シートが矩形をしている場合に、前記光学シートの４辺それぞれの縁部分に該光学シートの伸縮力を吸収する緩衝部を設け、それぞれの該緩衝部の外端部を外方向に張力を付与して支持したことを特徴とするバックライト装置。
【請求項５】
請求項１乃至４のいずれかに記載のバックライト装置において、
前記複数の光学シートの各々の膨張率が互いに異なる場合に、前記緩衝部分で相前後する光学シート間に光学シートの膨張収縮方向に隙間を形成するとともに、前記隙間は相前後する光学シートが温度変化したときに互いに発生する膨張収縮量の差分以上としたことを特徴とするバックライト装置。
【請求項６】
請求項１乃至５のいずれかに記載のバックライト装置において、
前記緩衝部分を、光学シートと異なる材質のシート材により形成して、光学シートの端部に接続したことを特徴とするバックライト装置。
【発明の詳細な説明】
【技術分野】
【０００１】
本発明は、液晶テレビ等の光源として用いられるバックライト装置に関し、詳しくはバックライト装置を構成する光学シートにしわが発生しないように支持して均一な輝度が得られるバックライト装置に関する。
【背景技術】
【０００２】
従来、液晶テレビ等の液晶表示装置に用いられるバックライト装置は、光源である蛍光ランプの前方にアクリル板等からなる拡散板を配置しその前面にＩＴＯシート、拡散フィルム、プリズムシート、反射偏光フィルム等の光学シートが配置されている。これら拡散板、光学シートは互いに膨張率が異なる。そのため、バックライト装置が点灯される度に、常温から温度上昇を始めるにつれて互いに異なる伸び量で膨張する。このとき拡散板に光学シートが部分的あるいは全面で密着した状態にあると、互いの伸縮量が異なるため、光学シート側にリング状のしわが発生する。しわが発生すると、その前面の液晶パネルに陰が映り、輝度が不均一になるという問題が発生した。
【０００３】
その対策として従来は、バックライト装置の照射面が垂直に支持される場合は、拡散板の上端部が当接する反射板ベースプレートの当接面に複数のピンを突設して、上端に孔を形成した拡散板、各光学シートをそのピンに係止し、拡散板、光学シートをその自重で吊り下げた状態で保持していた。この状態では、光学シートに厚み方向に外力が加わらずに、光学シートは拡散板に対して密着することなく微小な隙間を介して自由に伸縮できるように保持されている。このように構成されたことで、比較的小型のサイズのバックライト装置の場合は目立つ大きさのしわを発生することなく保持できる。しかし、バックライト装置のサイズが大きくなると、光学シートを拡散板に対して密着することなく保持することが困難となり、一部または全面で光学シートが拡散板に対して密着することになり、しわの発生を招くことになり、そのしわが目立つ大きさになると、前面の液晶パネルに陰が映ることがあった。その対策として、特許文献１に記載されるように、光学シートの端部を押さえるようにしたものがある。
【特許文献１】特開平１１−２８１９６６号公報
【発明の開示】
【発明が解決しようとする課題】
【０００４】
このように、従来は光学シートに発生するしわを防ぐため、光学シートの縁を押さえることが試みられており、中型サイズまでのバックライト装置では、それなりに効果が得られるが、バックライト装置がさらに大型になると、光学シートの伸びも比例して大きくなり、単に光学シートの縁を押さえただけではしわの発生を完全に防ぐことができなかった。そこで本発明は、熱膨張による光学シートの伸び量が大きい大型サイズのバックライト装置であっても、光学シートのしわの発生を確実に防止することのできるバックライト装置を提案することを目的とした。
【課題を解決するための手段】
【０００５】
上記課題を解決するために、本発明は、光源の前方に拡散板を配置し該拡散板の前面に光学シートを配置したバックライト装置において、前記光学シートの縁部分に該光学シートの伸縮力を吸収する緩衝部を形成するとともに、前記緩衝部の外端部を外方向に張力を付与して支持する。
詳しくは、前記拡散板および光学シートが矩形をしている場合に、前記光学シートの相対する短辺または長辺いずれかの一方の辺の縁に該光学シートの伸縮力を吸収する緩衝部を形成するとともに前記相対する両方の辺の縁を外方向に張力を付与して支持することが好ましい。
また、前記拡散板および光学シートが矩形をしている場合に、前記光学シートの相対する短辺および長辺のそれぞれの一方の辺の縁に該光学シートの伸縮力を吸収する緩衝部を形成するとともにそれぞれの両方の辺の縁を外方向に張力を付与して支持することが好ましい。
さらには、前記拡散板および光学シートが矩形をしている場合に、前記光学シートの４辺それぞれの縁に該光学シートの伸縮力を吸収する緩衝部を形成するとともにそれぞれの辺の縁を外方向に張力を付与して支持することが好ましい。
なお、  前記複数の光学シートの各々の膨張率が互いに異なる場合には、 緩衝部分で相前後する光学シート間に光学シートの膨張収縮方向に隙間を形成するとともに、前記隙間は相前後する光学シートが温度変化したときに互いに発生する膨張収縮量の差分以上とすることが必要である。
また、前記光学シートの緩衝部分を、光学シートと異なる材質のシート材により形成して、光学シートの端部に接続することも可能である。
【発明の効果】
【０００６】
以上述べたように本発明によれば、光学シートの縁部分に該光学シートの伸縮力を吸収する緩衝部を形成するとともに、緩衝部の外端部を外方向に張力を付与して支持したことで、光学シートが温度変化により膨張と収縮を繰り返しても、その伸び縮みが緩衝部の部分で吸収されてしわの発生が解消され、均一な輝度のバックライト装置が得られる。その結果、バックライト装置の大型化も可能になる。
【発明を実施するための最良の形態】
【０００７】
以下、図に基づいて本発明の実施形態を説明する。
図１は本発明のバックライト装置を用いた液晶表示装置を示し、図（ａ）は正面図、図（ｂ）は縦断面図であり、図２は図１の（ａ）の下端を拡大して模式的に示した図である。図３は光学シート下端に形成されている緩衝部分の膨張収縮動作を示した断面図である。これらの図において、１は反射板をかねた筐体であり、内部に等間隔で光源の蛍光管２が配置され、その前方にアクリル等の拡散板３が配置され、その前面に３枚の光学シート４が配置されている。光学シート４の前方には液晶パネル５が配置されている。
【０００８】
光学シート４の端部は図２に示されるように、予め加熱処理等により、つづら折形状に緩衝部６が形成されている。緩衝部６の外端は断面コ字形の固定金具７により挟着されており、外側に引っ張ってテンションを与えた状態で筐体１に固定されている。図示されている緩衝部６は、上下方向にテンションがかけられ変形して伸びている状態であり、テンションがかけられていない自然状態では上下方向に縮んだ密着に近い状態である。
【０００９】
このように光学シート４が両側に引っ張られて支持されたことにより、バックライト装置の蛍光管２が点灯して、その輻射熱や雰囲気温度の上昇により、光学シート４が加熱されて熱膨張しても、その膨張分が緩衝部６の復元動作により吸収されてしまい、光学シート４の中央部分にしわが発生することがなくなる。また、バックライト装置の蛍光管２が消灯されて雰囲気の温度が常温に低下して、光学シート４が収縮すると、その収縮分に相当する分だけ緩衝部６の部分が伸びることになる。つまり、膨張前の状態に復帰することになる。
【００１０】
ところで、光学シート４は互いに異なる材質のシート材により形成されているため、互いの膨張率が異なり、緩衝部６の部分で吸収される膨張量に差が現れる。そのため、緩衝部６の部分で、各光学シート４が互いに隙間なく重ねられていると、緩衝部６の部分で各光学シート４ごとに変形量が異なり、各光学シート４が互いに干渉することになり、緩衝部６の上端、すなわち、光学的に機能する各光学シート４の下端部に厚み方向の分力が作用して、厚み方向に広がるという問題が発生する。そこで、本発明では、緩衝部６の部分で相前後する光学シート４の間に、その膨張伸縮方向に隙間を形成して、干渉の発生を防いでいる。
【００１１】
すなわち、図３に示されるように、光学シート４が３枚の光学シート４Ａ，４Ｂ，４Ｃにより構成されている場合に、緩衝部６の部分で各光学シート４Ａ，４Ｂ，４Ｃの間に、光学シートの膨張伸縮方向に隙間を形成した。図３では、左側に示されているように、加熱されて光学シート４全体が膨張し、その膨張量を緩衝部６の部分が収縮することにより吸収している状態で、各光学シート４Ａ，４Ｂ，４Ｃ間に均一な隙間が形成されるようにする。この状態から、図の右側に示されるように、常温に冷却されると、光学シート４全体が収縮し、光学シート４Ａの緩衝部６の上端で距離Ｓの分上昇する。
【００１２】
このとき、各光学シート４Ａ，４Ｂ，４Ｃの膨張率の違いにより、収縮量に差が現れる。図では、光学シート４Ａよりも光学シート４Ｂの膨張率が大きく、光学シート４Ｂよりも光学シート４Ｃの膨張率が大きい場合を示しており、光学シート４Ｃの収縮量が最も大きく、光学シート４Ａの収縮量が最も小さくなる。しかしながら、各光学シート４Ａ，４Ｂ，４Ｃの間には、予め膨張伸縮方向に隙間を形成されているため、互いの膨張量の差分が、その隙間以内であれば、各光学シート４Ａ，４Ｂ，４Ｃは、互いに接することなく、干渉が発生しない。
【００１３】
図では、左側に示される加熱状態で、各光学シート４Ａ，４Ｂ，４Ｃの間の隙間を、緩衝部６の部分の全長にわたって均一に形成しているが、各光学シート４Ａ，４Ｂ，４Ｃの膨張量の差分は、緩衝部６の上端で最大となり、緩衝部６の下端で０となる。そのため、各光学シート４Ａ，４Ｂ，４Ｃ間に形成する隙間は、緩衝部６の下端部で０とし、上に行くに従い次第に広くするように形成することも可能である。いずれにしても、緩衝部６の各部分に形成される隙間は、その部分に発生する前後の光学シート４間の膨張量の差分以上であることが必要である
【００１４】
図示例では、緩衝部６が左側に２山で右側に１山の形状に形成されているが、山の数は多い方が好ましい。また、緩衝部６の形状もつづら折形状に限定されずに、波状等とすることも可能である。また、図示例では光学シート４の上下両端に緩衝部６を形成したが、上下いずれか一方だけに緩衝部６を形成することも可能である。さらには、図示していないが、光学シート４の左右端部の両方または片方にも緩衝部を形成して、横方向の膨張を吸収させる構成とすることも可能である。
【００１５】
なお、光学シート４の緩衝部６が形成される縁の部分は、光学的な機能を有する必要がないため、別部材を貼着しても支障がないので、別途、弾性の大きいシート部材に緩衝部を形成しておき、それを光学シートの縁に貼着して接続するという方法も可能である。
【産業上の利用可能性】
【００１６】
本発明は、バックライト装置以外には、温度が変動する雰囲気中に光学シートを支持する構造を有する他の光学機器、装置に利用可能である。
【図面の簡単な説明】
【００１７】
【図１】本発明のバックライト装置を用いた液晶表示装置を示し、図（ａ）は正面図、図（ｂ）は縦断面図である。
【図２】図１の（ａ）の下端を拡大して模式的に示した図である。
【図３】光学シート下端に形成されている緩衝部部分の膨張収縮動作を示した断面図である。
【符号の説明】
【００１８】
１  筐体
２  蛍光管
３  拡散板
４  光学シート
５  液晶パネル
６  緩衝部
７  固定金具
【図１】
2005276718.tif 000003
【図２】
2005276718.tif 000004
【図３】
2005276718.tif 000005